(57)【要約】【課題】無駄な下地材を生じさせることなく、また、使用するビス等の締結部材の数を低減できる間仕切りパネルおよび間仕切り施工方法を提供する。【解決手段】間仕切りパネル１は、壁ボード１１の裏面側に当該壁ボード１１を室内に設置固定する下地材の一部が既設されている。また、この間仕切りパネル１は、上記下地材の一部である縦桟１３が上記壁ボード１１の一方の横縁から水平方向に跳ね出して設けられており、上記壁ボード１１の他方の横縁には、別の間仕切りパネル１における縦桟の跳ね出し部を受ける無桟部１４が形成されている。【選択図】図１
2018091102.tif 000002
【特許請求の範囲】
【請求項１】
壁ボードの裏面側に当該壁ボードを室内に設置固定する下地材の一部が既設された間仕切りパネルであって、上記下地材の一部である縦桟が上記壁ボードの一方の横縁から水平方向に跳ね出して設けられており、上記壁ボードの他方の横縁には、別の間仕切りパネルにおける縦桟の跳ね出し部を受ける無桟部が形成されていることを特徴とする間仕切りパネル。
【請求項２】
請求項１に記載の間仕切りパネルにおいて、上辺側には、現場で設けられる下地材である天井側横下地を受ける上辺側無桟部を有することを特徴とする間仕切りパネル。
【請求項３】
請求項１または請求項２に記載の間仕切りパネルにおいて、下辺側には、現場で設けられる下地材である床側横下地を受ける下辺側無桟部を有することを特徴とする間仕切りパネル。
【請求項４】
請求項１〜請求項３のいずれか１項に記載の間仕切りパネルを用いた間仕切り施工方法であって、設置済みの間仕切りパネルの隣に別の間仕切りパネルを配置する際に、設置済みの間仕切りパネルにおける壁ボードの一方の横縁に設けられている縦桟の跳ね出し箇所に、別の間仕切りパネルにおける壁ボードの他方の横縁の無桟部を重ね合わせ、この無桟部を締結部材によって上記縦桟の跳ね出し箇所に固定することを特徴とする間仕切り施工方法。
【請求項５】
請求項４に記載の間仕切り施工方法において、設置済みの間仕切りパネルにおける壁ボードの一方の横縁に存在する締結部材の配置高さに合わせて、上記無桟部に締結部材を施工現場で設けることを特徴とする間仕切り施工方法。
【請求項６】
請求項２に記載の間仕切りパネルを用いた間仕切り施工方法であって、現場室内の天井に天井側下地を固定し、この天井側下地に、上記間仕切りパネルの壁ボードの上辺側無桟部を固定することを特徴とする間仕切り施工方法。
【請求項７】
請求項３に記載の間仕切りパネルを用いた間仕切り施工方法であって、現場室内の床に、床側下地を固定し、この床側下地に、上記間仕切りパネルの壁ボードの下辺側無桟部を固定することを特徴とする間仕切り施工方法。
【発明の詳細な説明】
【技術分野】
【０００１】
この発明は、間仕切りパネルおよびこの間仕切りパネルで室内を仕切る間仕切り施工方法に関する。
【背景技術】
【０００２】
従来のパネル化されていない間仕切り施工では、施工現場でのビス留め本数が多くなり、施工負荷が大きいという問題があった。
【０００３】
また、図５（Ａ）、図５（Ｂ）および図５（Ｃ）に示すように、従来から、方形状枠の中央に縦中央桟１０１ａを備える方形枠状の下地パネル１０１を室内の間仕切りライン上に並べ、この下地パネル１０１に壁ボード１０２をビス留めする工法が知られている。この工法では、隣り合う下地パネル１０１を跨ぐように壁ボード１０２を配置し、上記隣り合う下地パネル１０１の縦中央桟１０１ａを隣り合う壁ボード１０２で共用してビス留めし、また、壁ボード１０２の中央側に位置する下地パネル１０１、１０１の各方形状枠の縦枠部１０１ｂ、１０１ｂのいずれかを用いてビス留めを行う。例えば、ビス留め数は、壁ボード１０２の上側横辺および下側横辺でそれぞれ５本、左右の縦辺（縦枠部１０１ｂ、１０１ｂの位置）でそれぞれ１１本、中央縦ライン（縦中央桟１０１ａの位置）で７本となり、１ボードあたり合計で３９本のビスが用いられる。
【０００４】
また、特許文献１には、縦桟及び横桟等の下地用骨組材に、複数枚の石膏ボードをそれらの端部が突き合わせ接合されるようにして形成される下地壁構造体において、前記石膏ボードの突き合わせ端部の背面に平板状の鋼板材からなる接合用下地材を配設し、前記接合用下地材に前記石膏ボードの端部を接合する際に、接着剤を用いて石膏ボードの端部裏面を鋼板材に貼り付け、その後石膏ボートと接合用下地材と下地用骨組材とをビス止めした下地壁構造体が開示されている。
【先行技術文献】
【特許文献】
【０００５】
【特許文献１】特開２０１６−７９７５７号公報
【発明の概要】
【発明が解決しようとする課題】
【０００６】
しかしながら、図５に示した従来の間仕切り施工方法では、壁ボード１０２の中央側に位置する下地パネル１０１、１０１の各方形状枠の縦枠部１０１ｂ、１０１ｂの一方を用いてビス留めを行うため、他方の縦枠部１０１ｂは無駄に存在することになる。また、上記のように、多くのビスが用いられるという欠点もある。そして、このような問題を、特許文献１の技術では、解決することができない。
【０００７】
この発明は、上記の事情に鑑み、無駄な下地材を生じさせることなく、また、使用するビス等の締結部材の数を低減できる間仕切りパネルおよび間仕切り施工方法を提供することを課題とする。
【課題を解決するための手段】
【０００８】
この発明の間仕切りパネルは、上記の課題を解決するために、壁ボードの裏面側に当該壁ボードを室内に設置固定する下地材の一部が既設された間仕切りパネルであって、上記下地材の一部である縦桟が上記壁ボードの一方の横縁から水平方向に跳ね出して設けられており、上記壁ボードの他方の横縁には、別の間仕切りパネルにおける縦桟の跳ね出し部を受ける無桟部が形成されていることを特徴とする。
【０００９】
上記の構成であれば、上記壁ボードの一方の横縁に設けられている縦桟の跳ね出し箇所に、別の間仕切りパネルにおける壁ボードの他方の横縁の無桟部を重ね合わせ、この無桟部を締結部材によって上記縦桟の跳ね出し箇所に固定することができるので、隣り合う間仕切りパネルにおいて上記縦桟を共用する構造となり、無駄な下地材を生じさせることがない。また、壁ボードを室内に設置固定する下地材の一部が当該壁ボードの裏面側に既設されているので、現場で使用する締結部材の数を低減することができる。
【００１０】
上辺側には、現場で設けられる下地材である天井側横下地を受ける上辺側無桟部を有してもよい。また、下辺側には、現場で設けられる下地材である床側横下地を受ける下辺側無桟部を有してもよい。なお、上辺側無桟部および下辺側無桟部の両方を備える構成の間仕切りパネルであれば、施工現場において室内の天井に天井側横下地を、床に床側下地をそれぞれ固定し、これら下地に上記壁ボードの上辺側無桟部と下辺側無桟部をそれぞれ固定することで、当該間仕切りパネルを背向配置に設けて厚壁とすることができる。
【００１１】
また、この発明の間仕切り施工方法は、上記の間仕切りパネルを用いた間仕切り施工方法であって、設置済みの間仕切りパネルの隣に別の間仕切りパネルを配置する際に、設置済みの間仕切りパネルにおける壁ボードの一方の横縁に設けられている縦桟の跳ね出し箇所に、別の間仕切りパネルにおける壁ボードの他方の横縁の無桟部を重ね合わせ、この無桟部を締結部材によって上記縦桟の跳ね出し箇所に固定することを特徴とする。
【００１２】
上記の間仕切り施工方法において、設置済みの間仕切りパネルにおける壁ボードの一方の横縁に存在する締結部材の配置高さに合わせて、上記無桟部に締結部材を施工現場で設けることとしてもよい。これによれば、上記無桟部に締結部材を設けるための寸法取りをする必要がなくなり、施工作業の効率化が図れる。
【００１３】
現場で設けられる下地材である天井側横下地を受ける上辺側無桟部を有する間仕切りパネルを用いた間仕切り施工方法においては、現場室内の天井に天井側下地を固定し、この天井側下地に、上記上辺側無桟部を固定する。
【００１４】
また、現場で設けられる下地材である床側横下地を受ける下辺側無桟部を有する間仕切りパネルを用いた間仕切り施工方法においては、現場室内の床に床側下地を固定し、この床側下地に、上記下辺側無桟部を固定する。
【発明の効果】
【００１５】
本発明であれば、無駄な下地材を生じさせることなく、また、使用するビス等の締結部材の数を低減できるという効果を奏する。
【図面の簡単な説明】
【００１６】
【図１】本発明の実施形態に係る間仕切りパネルを示した概略の説明図である。
【図２】図１の間仕切りパネルを用いた間仕切り施工方法の概略を示した説明図であり、同図（Ａ）は、室内に天井側下地および床側下地を設けた状態を示し、同図（Ｂ）は、天井側下地および床側下地に間仕切りパネルを固定する工程を示し、同図（Ｃ）は同図（Ｂ）のＡ−Ａ矢視断面の拡大図である。
【図３】図１の間仕切りパネルを用いた薄壁タイプの間仕切りを示した概略の説明図である。
【図４】図１の間仕切りパネルを用いた厚壁タイプの間仕切りを示した概略の説明図である。
【図５】従来の間仕切り施工方法の概略を示した説明図であり、同図（Ａ）は、室内に下地パネルを設けた状態を示し、同図（Ｂ）は、下地パネルに壁ボードを固定する工程を示し、同図（Ｃ）は同図（Ｂ）のＢ−Ｂ矢視断面の拡大図である。
【発明を実施するための形態】
【００１７】
以下、この発明の実施の形態を添付図面に基づいて説明する。
図１に示すように、間仕切りパネル１における壁ボード（石こうボード等）１１の裏面側には、当該間仕切りパネル１を室内に設置して固定するための下地材の一部が既設されており、この実施形態では、上記下地材の一部として、２本の縦桟１２，１３を備えている。すなわち、この間仕切りパネル１は、工場出荷状態において、壁ボード１１と上記縦桟１２，１３とを備えた構造となっている。
【００１８】
上記縦桟１２は、上記壁ボード１１の中央位置に配置されており、例えば、７本の工場打ちビス２(締結部材)によって、上記壁ボード１１に固定されている。また、上記縦桟１２は、上記壁ボード１１の縦長さよりも短くされており、上記壁ボード１１の上辺端および下辺端には至っていない。
【００１９】
上記縦桟１３は、上記壁ボード１１の一方の横縁に配置されており、例えば、１１本の工場打ちビス２(締結部材)によって、上記壁ボード１１に固定されている。また、上記縦桟１３は、上記縦桟１２よりも横幅が大きく、その縦方向中央ラインから横半分が上記壁ボード１１から水平方向に跳ね出している。さらに、上記縦桟１３は、上記壁ボード１１の縦長さよりも短くされており、上記壁ボード１１の上辺縁および下辺側縁には至っていない。
【００２０】
そして、上記壁ボード１１の他方の横縁には、別の間仕切りパネル１における縦桟１３の跳ね出し部を受ける無桟部１４が形成されている。また、この間仕切りパネル１は、上辺側には、現場で設けられる下地材である天井側横下地を受ける上辺側無桟部１５を有しており、下辺側には、現場で設けられる下地材である床井側横下地を受ける下辺側無桟部を１６を有している。これら上辺側無桟部１５と下辺側無桟部１６は、施工現場で設けられる後述の天井側下地３１と床側下地４１をそれぞれ受ける部位となる。
【００２１】
次に、上記間仕切りパネル１を用いた間仕切り施工方法の一例について説明していく。この間仕切り施工方法においては、図２（Ａ）、図２（Ｂ）および図２（Ｃ）に示すように、施工現場の室内の天井３には間仕切りラインに沿って天井側下地３１をビス等により固定する。同様に、施工現場の室内の床４にも間仕切りラインに沿って床側下地４１をビス等により固定する。
【００２２】
そして、上記天井側下地３１および床側下地４１を用いて、１枚目の間仕切りパネル１の上辺側無桟部１５を現場打ちの５本のビス２Ａ（締結部材）によって上記天井側下地３１に固定するとともに、下辺側無桟部１６を現場打ちの５本のビス２Ａによって上記床側下地４１に固定する。なお、図２（Ｂ）においては、１枚目の間仕切りパネル１を二点鎖線で示し、２枚目に設置される間仕切りパネル１を点線で示し、３枚目に設置される間仕切りパネル１を一点鎖線で示している。
【００２３】
そして、このように設置済みの間仕切りパネル１の隣に、別の間仕切りパネル１を配置する際に、上記設置済みの間仕切りパネル１における壁ボード１１の一方の横縁に設けられている縦桟１３の跳ね出し箇所に、上記別の間仕切りパネル１における壁ボード１１の他方の横縁の無桟部１４を重ね合わせ、この無桟部１４を１１本の現場打ちのビス２Ａによって固定する。以後、同様に作業を繰り返してく。また、このとき、設置済みの間仕切りパネル１における壁ボード１１の一方の横縁に存在する工場打ちビス２の配置高さに合わせて、上記無桟部１４に現場打ちのビス２Ａ（締結部材）を打ち込む。
【００２４】
薄壁タイプの間仕切り壁の場合、上記のようにして設置固定した間仕切りパネル１の裏面側に、図３に示すように、単体の壁ボード５を貼り付ける。この単体の壁ボード５については、全て、現場打ちのビス２Ａによって固定する。
【００２５】
一方、厚壁タイプの間仕切り壁の場合、上記のようにして設置固定した間仕切りパネル１の裏面側に、図４に示すように、同様の方法で間仕切りパネル１を貼り付けていく。ここで、別の間仕切りパネル１を貼り付ける前に、隣り合う縦桟１３同士を長ビス２Ｂによって固定する。
【００２６】
なお、上記間仕切り壁の製作においては、上記のように、一面側を複数の間仕切りパネル１で製作した後、他面側を複数の間仕切りパネル１或いは単体の壁ボード５で作成できる他、一面側において１枚の間仕切りパネル１を固定した後、他面側において１枚の間仕切りパネル１或いは単体の壁ボード５を固定し、再び一面側において１枚の間仕切りパネル１を固定した後、他面側において１枚の間仕切りパネル１或いは単体の壁ボード５を固定するといった手順を採用することもできる。
【００２７】
上記の構成であれば、上記壁ボード１１の一方の横縁に設けられている縦桟１３の跳ね出し箇所に、別の間仕切りパネル１における壁ボード１１の他方の横縁の無桟部１４を重ね合わせ、この無桟部１４をビス２Ａによって上記縦桟１３の跳ね出し箇所に固定することができるので、隣り合う間仕切りパネル１において上記縦桟１３を共用する構造となり、無駄な下地材を生じさせることがない。また、壁ボード１１を室内に設置固定する下地材の一部が当該壁ボード１１の裏面側に既設されているので、現場で使用するビス２Ａの本数を低減することができる。上記の例であれば、現場打ちのビス２Ａの本数は、１枚の壁ボード１１について２１本となる。
【００２８】
上記間仕切りパネル１が上辺側無桟部１５と下辺側無桟部１６を有する構成であると、上述のように、施工現場において室内の天井３に天井側横下地３１を、床４に床側下地４１をそれぞれ固定し、これら下地３１，４１に上記壁ボード１１の上辺側無桟部１５と下辺側無桟部１６をそれぞれ固定することができるので、効率的に当該間仕切りパネル１を背向配置に設けて厚壁とすることができる(図４参照)。
【００２９】
また、上記間仕切り施工方法において、上記のように、設置済みの間仕切りパネル１における壁ボード１１の一方の横縁に存在する工場打ちビス２（締結部材）の配置高さに合わせて、上記無桟部１４に現場打ちビス２Ａ（締結部材）を設ける工法であれば、上記無桟部１４の壁ボード１１に現場打ちビス２Ａを打つための寸法取りをする必要がなくなり、施工作業の効率化が図れることになる。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１        ：間仕切りパネル
２        ：工場打ちビス(締結部材)
２Ａ      ：現場打ちビス(締結部材)
２Ｂ      ：長ビス
３        ：天井
４        ：床
５        ：壁ボード
１１      ：壁ボード
１２      ：縦桟
１３      ：縦桟
１４      ：無桟部
１５      ：上辺側無桟部
１６      ：下辺側無桟部
３１      ：天井側下地
４１      ：床側下地
【図１】
2018091102.tif 000003
【図２】
2018091102.tif 000004
【図３】
2018091102.tif 000005
【図４】
2018091102.tif 000006
【図５】
2018091102.tif 000007